(57)【要約】【課題】四面展示形陳列棚のボックス内部を在庫品などの保管庫スペースとして有効利用する。【解決手段】平面視矩形状に形成され、その前後左右の四面を展示面とした陳列棚１であって、立方形状に枠組したフレーム４の２ないし３面に展示パネル７を固定して設け、かつ前面または前後面を開口した固定棚２と、下部に設けたキャスタ１０により前記固定棚２の開口より引出し格納可能なフレーム８と、フレーム８の前面に固定して設けた展示パネル１１と、フレーム８の内側に複数段配置された物品Ｗの格納用ラック棚９を備えた可動棚３と、を有し、各展示パネル７，１１には、商品の展示格納用ラックユニット１５が多段に配置され、可動棚３の格納状態で、四面に商品が展示されるようになした。【選択図】      図２
2005341980.tif 000002
【特許請求の範囲】
【請求項１】
矩形状に形成され、その四面を展示面とした陳列棚であって、
立方形状に枠組したフレームの２ないし３面に展示パネルを設け、かつ前面または前後面を開口した固定棚と、
下部に設けたキャスタにより前記固定棚の開口より引出し格納可能なフレームと、フレームの前面に設けた展示パネルと、フレームの内側に複数段配置された物品格納用ラック棚を備えた可動棚と、を有し、
前記各展示パネルには商品の展示格納用ラックユニットが多段に配置され、前記可動棚の格納状態で、四面に商品が展示されるようになしたことを特徴とする商品陳列棚。
【請求項２】
請求項１において、前記可動棚の固定棚に対する格納状態で、可動棚を固定棚にロックするロック機構を設けたことを特徴とする商品陳列棚。
【請求項３】
請求項１または２において、前記固定棚の前後を開口するとともに、奥行寸法が固定棚の略半分とした一対の可動棚を固定棚の前後に引出し格納可能に設けたことを特徴とする商品陳列棚。
【請求項４】
請求項１ないし３のいずれか１項において、前記固定棚の開口下部には下框が配置されているとともに、引出し時において、可動棚のフレーム下部に設けた移動用キャスタのうち後部側キャスタが前記下框に度当りすることで引出し位置が規制され、前記ラック棚の側面より格納物品の出納を可能としたことを特徴とする商品陳列棚。
【発明の詳細な説明】
【技術分野】
【０００１】
本発明は、特にＤＶＤ，ＣＤ，文庫本などの薄型ソフトパッケージ商品の展示に適した商品陳列棚に関し、特に前後左右の四面を展示面とするボックス形の商品陳列棚に係るものである。
【背景技術】
【０００２】
ビデオ販売店、ビデオレンタルショップなどにおいて、ＤＶＤ，音楽ＣＤ，ＣＤ−ＲＭなどの薄型ソフトパッケージ商品の販売・貸し出しに際して、展示される商品は寸法そのものが小さく、薄型のメディア媒体であるため、ユーザに対して注意を引きつけつつ販売、貸し出しを行うには、パッケージ表面に差し込まれたタイトル印刷面を展示側に向ける必要がある。
【０００３】
そこで本出願人は、骨組となるフレームの表面に多数のスリットを縦横にパンチングした展示パネルを固定し、このパネルの係止孔にラックユニットを引っ掛け係止し、このラックユニットに前記薄型ソフトパッケージを格納する方式の陳列棚を開発した。
【０００４】
この陳列棚は、店舗の平面形状や、ユーザの移動を勘案して、店舗内を仕切って各種展示面を持った陳列棚が用意される。
例えば、壁面に沿った面を展示面とした片側陳列棚と、両面を展示面として両側通路に対面させた両側陳列棚のほかに、店舗のホール部分に設置されて、四面を展示面とした陳列棚がある。
【０００５】
このうち、平面視矩形状に形成され、前後左右の四面を展示面とする陳列棚にあっては、自立性を持たせ、かつ十分な枚数のソフトパッケージを四面全体に展示させるために大きなボックス形に形成される。
【発明の開示】
【発明が解決しようとする課題】
【０００６】
しかしながら、この四面展示用陳列棚で、十分な展示面積を得ようとした場合には、ボックス内側のデッドスペースが大きくなり、スペースに無駄が生ずる問題が生じていた。    
【０００７】
そこで本発明は、以上の課題を解決するためになされたものであり、四面展示形陳列棚のボックス内部を在庫品やソフトパッケージに該当する書籍などの保管庫スペースとして有効利用できるようにした商品陳列棚を提供するものである。
【課題を解決するための手段】
【０００８】
前記目的を達成するため、本発明の商品陳列棚１は、図の実施の形態にも示すように、平面視矩形状に形成され、その前後左右の四面を展示面とした陳列棚１であって、立方形状に枠組したフレーム４の２ないし３面に展示パネル７を固定して設け、かつ前面または前後面を開口した固定棚２と、下部に設けたキャスタ１０により前記固定棚２の開口より引出し格納可能なフレーム８と、フレーム８の前面に固定して設けた展示パネル１１と、フレーム８の内側に複数段配置された物品Ｗの格納用ラック棚９を備えた可動棚３と、を有し、前記各展示パネル７，１１には、商品の展示格納用ラックユニット１５が多段に配置され、前記可動棚３の格納状態で、四面に商品が展示されるようになしたことを特徴とするものである。
【０００９】
また本発明では、前記可動棚３の固定棚２に対する格納状態で可動棚３を固定棚２にロックするロック機構１３を設けたことを特徴とするものである。
【００１０】
さらに本発明では、前記固定棚２の前後を開口するとともに、奥行寸法が固定棚２の略半分とした一対の可動棚３を引出し格納可能に設けたことを特徴とするものである。
【００１１】
またさらに本発明では、前記固定棚２の開口下部には下框６が配置されているとともに、引出し時において、可動棚３のキャスタ１０のうち後部側キャスタ１０が前記下框６に度当りすることで引出し位置が規制され、前記ラック棚９の側面より格納物品Ｗの出納を可能としたことを特徴とするものである。
【発明の効果】
【００１２】
以上により本発明では、通常状態では四面展示形のボックス形商品陳列棚として機能すると同時に、在庫品収納スペースとして有効利用できる。
【００１３】
請求項２記載の発明では、可動棚が固定棚内ロックされ、地震などにより不意に引き出されることがなく、キーロック方式によるロックにより可動棚に対する商品の出納管理を店員のみにより行うことができるため、防盗上好ましい。
【００１４】
請求項３記載の発明では、前後の各可動棚の引出ししろが小さいため、ホール面積が小さい場合に好適である。
【００１５】
請求項４記載の発明では、キャスタのストッパ動作により可動棚の移動が規制されるため横からの物品出納作業を安定して行うことができる。
【発明を実施するための最良の形態】
【００１６】
以下、本発明の好ましい実施の形態に付き添付図面を参照して説明する。図１は本発明に係る商品陳列棚の全分解斜視図、図２は同組立状態における固定棚と可動棚を分離した状態を示す斜視図、図３は同組付け状態を示す断面図、図４は同引出し状態を示す断面図である。
【００１７】
各図における陳列棚１は、平面視矩形状のボックス状に形成された固定棚２と、固定棚２の前後部開口より引出し格納可能な前後一対の可動棚３とから構成されている。
【００１８】
固定棚２は、角パイプを縦長の長方形状に枠組した一対の本体フレーム４と、本体フレーム４の前後の上下に配置されて本体フレーム４間を連結した上梁５及び下框６と、両本体フレーム４の外側面にリベットなどを介して固定される本体フレーム７の枠組形状と同一の縦横寸法とした展示パネル７とからなるもので、上梁５及び下框６で仕切られる前後の間口部分を開口したものである。
【００１９】
前記各可動棚３は、間口外形寸法が前記固定棚２の間口の内法寸法に等しく、奥行寸法が固定棚２の奥行寸法の略半分であって、前面側が固定棚２の間口上部に設けた上梁５に度当りするように他の部位よりもやや高く立体枠組みされた本体フレーム８と、本体フレーム８内を複数段に仕切って複数段設置された保管用の水平ラック棚９と、特に図１の一部に拡大して示すように、本体フレーム８の下端四隅に一体化された移動用のキャスタ１０と、フレーム８の前面にリベットなどを介して一面に固定される本体フレーム８の前面と同一縦横寸法の展示パネル１１とを備えている。
【００２０】
また、本体フレーム８の前部側における頂部中央の背面には特に図１の一部に拡大して示すように、ブラケット１２を介してキー差込式ロック機構１３が設けられ、可動棚２を格納状態において、上梁５の中央に設けたロック受け１４に係脱可能に係合し、可動棚２をロック状態に固定できるようになっている。
【００２１】
各展示パネル５，１２は多数のスリットＳを縦横マトリックス状にパンチングした薄鋼板からなるもので、各スリットＳに図示しないフックを介してソフトパッケージを横一列に展示状態に格納するラックユニット１５（図２参照）を引っ掛け係止し、多段に展示するものである。なお、可動棚３側の展示パネル１２の上部中央には引出し用の把手１６が取付けられている。
【００２２】
前記水平ラック棚９には、在庫品ソフトパッケージや、いわゆる攻略本と称されるソフトパッケージの関連書籍などの収納物品Ｗの保管用の棚として活用される。
【００２３】
以上において、各可動棚３の後部側キャスタ１０を下框６を乗越して固定棚２の内部に位置させ、可動棚３を押込むことで、各可動棚３は固定棚２内に格納され、本体フレーム８の前面上部及び前部側キャスタ１０がそれぞれ上梁５及び下框６に度当りして停止し、図３に示すように、固定棚２と合わせて四面を展示面とした自立ボックス形の陳列棚１に形成される。
【００２４】
この状態で、前記ロック機構１３をロックすることで、ボックス形状が保持され、四面展示用のボックス形陳列棚として活用される。
【００２５】
そして、格納状態からキーの差込により、ロック機構１３を掛け外すことで、可動棚３は引出し可能になり、把手１６を持って引出せば、図４に示すように、後部側キャスタ１０が下框６に度当りすることで引出し位置が規制され、この引出し位置で、両側面から各ラック棚９上に格納された物品Ｗの取出しができる。
【００２６】
なお、可動棚３は奥行の割りに間口幅が広く、図４に示す引出し状態では、側面から手を差込んで格納物品Ｗを取出そうとしても内部まではなかなか手が届かない場合がある。  この場合に備えて、ラック棚９を仕切板を介して間口方向に複数分割し、比較的頻繁に出し入れする物品は、仕切られた両側面に格納し、出し入れが頻繁でない物品の場合には中央側に格納し、これらを出し入れする場合に限って、後部側キャスタ１０を下框６を乗越して固定棚２から完全分離し、出納を行うようにもできる。
【００２７】
なお、以上の実施の形態では、奥行寸法を固定棚２の略半分とした一対の可動棚３とし、これを固定棚２の前後開口部から出し入れ可能とした。しかしながら、固定棚の左右と後部の３面を展示パネル５，１２で囲うとともに、奥行寸法を固定棚と同様にした１つの可動棚を固定棚の開口部より出し入れ可能としても良く、この場合はホールの通路面積が比較的広くとれる場所に適合できる。
【産業上の利用可能性】
【００２８】
この商品陳列棚は、実施例の薄型ソフトパッケージ商品の陳列棚の他、文庫本などの陳列棚、各種家庭用小物商品の陳列棚などにも利用できる。
【図面の簡単な説明】
【００２９】
【図１】本発明に係る陳列棚の完全分解斜視図である。
【図２】同組立状態における固定棚と可動棚を分離した状態の斜視図である。
【図３】同組付け状態を示す断面図である。
【図４】同引出し状態を示す断面図である。
【符号の説明】
【００３０】
１  商品陳列棚
２  固定棚
３  可動棚
４  本体フレーム
５  上梁
６  下框
７，１１  展示パネル
Ｓ  スリット
８  本体フレーム
９  ラック棚
１０  キャスタ
１３  ロック機構
１５  ラックユニット
Ｗ  格納物品
【図１】
2005341980.tif 000003
【図２】
2005341980.tif 000004
【図３】
2005341980.tif 000005
【図４】
2005341980.tif 000006